(57)【要約】【課題】ヘッド部がホームポジションとヘッド移動方向変換位置に移動したとき、紫外線照射装置から照射される紫外線の一次反射光が記録ヘッドのノズルに当たり、インクが硬化してヘッド部のインクの通路が詰まるのを防止する。【解決手段】紫外線照射装置１０，１２を横に備えたヘッド部６は、プラテン１４上の印字領域から外れたホームポジション２２と該ホームポジション２２とは反対側のヘッド移動方向変換位置８へそれぞれ移動することができる。ホームポジション２２とヘッド移動方向変換位置８のそれぞれの領域に該領域内の紫外線照射装置１０，１２の照射口の下側に近接するように、紫外線の記録ヘッドへの一次反射を防止する板材１１，１３，７を配設する。【選択図】図１
2004338264.tif 000002
【特許請求の範囲】
【請求項１】
印字直後のインク滴に紫外線を照射するための紫外線照射装置を横に備えたヘッド部をプラテン上の印字領域から外れたホームポジションと該ホームポジションとは反対側のヘッド移動方向変換位置へ移動可能としたインクジェット記録装置において、前記ホームポジションと前記ヘッド移動方向変換位置のそれぞれの領域に該領域内の前記紫外線照射装置の照射口の下側に近接するように、前記記録ヘッドへの紫外線の反射を防止する板材を配設したことを特徴とするインクジェット記録装置。
【請求項２】
前記板材の高さを前記プラテンの高さと略同一に設定したことを特徴とする請求項１に記載のインクジェット記録装置。
【請求項３】
前記板材の前記紫外線照射装置の照射口と対向する面を黒色などの暗色としたことを特徴とする請求項１に記載のインクジェット記録装置。
【請求項４】
前記板材に隣接して前記紫外線照射装置の移動経路内に載置板を昇降可能に設け、該載置板に照度計を置くことができるようにしたことを特徴とする請求項１に記載のインクジェット記録装置。
【発明の詳細な説明】
【０００１】
【発明の属する技術分野】
本発明は記録ヘッドを搭載したヘッド部に紫外線照射装置を備えたインクジェット記録装置に関する。
【０００２】
【従来の技術】
インクが浸透しないメディア例えば樹脂などの表面に印字を行う場合において、インクジェットの印字後に表面を硬化させる目的でＵＶ（紫外線）を照射させる装置が提案されている（例えば特許文献１参照）。
また印字した直後にインクを硬化させるためのＵＶ硬化ランプをヘッドの横に設けた装置が知られている（例えば特許文献２参照）。
【０００３】
【特許文献１】
特開平１０−１６２０６号公報（第１ページ、第１図）
【特許文献２】
特開昭６０−１３２７６７号公報（第１ページ、第１図）
【０００４】
【発明が解決しようとする課題】
ＵＶインクを使用した装置において、部屋の中での通常の使用環境では、装置がカバーで覆われている事もあり、ノズルが下を向いている記録ヘッドのインクが固まることはあまりない。しかしながら、図５に示すように、紫外線照射装置１０，１２を、記録ヘッドを内蔵した、ヘッド部６の横に設けた装置では、ヘッド移動方向変換位置又はホームポジションで、紫外線の一次反射光がヘッド部６の記録ヘッドのノズルに入り、記録ヘッド内のインクが固まってしまう恐れがある。通常の印字領域の範囲では、プラテン１４が紫外線照射装置１０，１２のＵＶランプの下近傍にあり、紫外線照射装置からの一次反射光５が記録ヘッドのノズルまで回り込むことはほとんどないが、ヘッド部６が、洗浄ボックス２０のあるホームポジションやその反対側のヘッド移動方向変換位置に位置すると、紫外線照射装置１０，１２のＵＶランプの下の近くに何もなく、そのため、装置の基台４からの、紫外線照射装置からの一次反射光５，５などが記録ヘッド内のインクに当たり、記録ヘッドを詰まらせることがある。
本発明は上記問題点を解決することを目的とするものである。
【０００５】
【課題を解決するための手段】
上記目的を達成するため、本発明は、印字直後のインク滴に紫外線を照射するための紫外線照射装置を横に備えたヘッド部をプラテン上の印字領域から外れたホームポジションと該ホームポジションとは反対側のヘッド移動方向変換位置へ移動可能としたインクジェット記録装置において、前記ホームポジションと前記ヘッド移動方向変換位置のそれぞれの領域に該領域内の前記紫外線照射装置の照射口の下側に近接するように、前記記録ヘッドへの紫外線の反射を防止する板材を配設したものである。
また本発明は、前記板材の高さを前記プラテンの高さと略同一に設定したものである。
また本発明は、前記板材の前記紫外線照射装置の照射口と対向する面を黒色などの暗色としたものである。
また本発明は、前記板材に隣接して前記紫外線照射装置の移動経路内に載置板を昇降可能に設け、該載置板に照度計を置くことができるようにしたものである。
【０００６】
【発明の実施の形態】
以下に本発明の構成を添付した図面を参照して詳細に説明する。
図１において、符号２は大型インクジェットプリンタのＹレールであり、基台４に支持部材を介して架設されている。６は記録ヘッドを内蔵搭載したヘッド部であり、前記Ｙレール２に往復動可能に連結している。前記ヘッド部６には、複数個のインクジェット記録ヘッドが内蔵され、各記録ヘッドのインク吐出ノズルが前記ヘッド部６の底部の開口部に、同一面上に配列配置されている。前記ヘッド部６の、Ｙ軸方向の両側には、ＵＶランプ（紫外線ランプ）を備えた紫外線照射装置１０，１２が設けられている。１４はプラテンであり、紙面垂直方向に延びる載置面に、プリント基板などの板状の印字媒体１６を取り付けるためのバキューム機能を備えている。
【０００７】
前記プラテン１４は、基台４に、床面に対して水平に固設された、紙面垂直方向に延びるＸレール（図示省略）上に、移動可能に支持されている。前記プラテン１４及びヘッド部６は、それぞれコントローラによって制御されるＸＹ駆動装置に連係している。図１はヘッド部６が、プラテン１４上の印字領域から外れたホームポジション２２即ちヘッド待機位置に移動した状態を示している。
【０００８】
図１において、ヘッド待機位置２２にいるヘッド部６の下方には、昇降機構１８により昇降可能に支持された洗浄ボックス２０が配置されている。前記洗浄ボックス２０の底部の排出口にチューブ４４が垂直に連結している。４６は基台４に配置された廃液タンクであり、これの上蓋に形成された孔に前記チューブ４４がスライド自在に嵌合している。７はヘッド移動方向変換位置８に、前記プラテン１４に隣接して配置された板材であり、脚台９によって、プラテン１４と同一高さに、基台４上に支持されている。前記板材７は、前記ヘッド部６がヘッド移動方向変換位置８に移動してきたとき、図２に示すように、紫外線照射装置１０，１２の下側に近接して位置するように配置されている。
【０００９】
１１，１３は洗浄ボックス２０の、Ｙ軸方向の両側に配置された板材であり、脚台１５，１７によって、前記プラテン１４と同一高さとなるように、基台４上に支持されている。前記板材１１，１３は、前記ヘッド部６がホームポジション２２に移動してきたとき、紫外線照射装置１０，１２の下側に近接して位置するように配置されている。前記板材７，１１，１３の上面は、紫外線を吸収し、その反射量を減少させるために、黒色などの暗色となっている。２４，２６は照度計２８を置くための載置板であり、プラテン１４と同一の高さと、それより一段低い照度計載置位置との間で昇降可能に、前記脚台９，１５に支持されている。前記載置板２４，２６の上面は黒などの暗色に着色され、該上面は前記プラテン１４のＹ軸方向の両側と板材７，１１との間に配置されている。
【００１０】
次に本実施形態の動作について説明する。
まず、プラテン１４上にプリント基板などの板状の印字媒体１６をセットする。印字動作がスタートすると、ヘッド部６は、コントローラの制御により、Ｙレール２に沿って、印字領域内で主走査方向に往復駆動される。一方、プラテン１４は、Ｘレールに沿って副走査方向に駆動される。このとき、記録ヘッドから紫外線硬化型のインク滴が吐出され、プラテン１４上の印字媒体１６に印字が行われると共に、印字媒体１６の印字直後の印字部のインク滴及び前の印字ラインに紫外線照射装置１０，１２のＵＶランプによって紫外線が照射され、印字直後のドットの硬化が行われる。ヘッド部６が、印字領域外のヘッド移動方向変換位置８に移動すると、紫外線照射装置１０，１２の照射口は板材７の上面に近接対向する。これにより、紫外線照射装置１０，１２の照射口から照射する紫外線は、板材７の上面に当たり、その一次反射光が照射口の近傍に当たる。そのため、紫外線の一次反射光が記録ヘッドのノズルに回り込むことがない。
【００１１】
また、記録ヘッドから洗浄液を大量に吐出し、ヘッド部６に搭載されたサブタンク及び記録ヘッドのノズルを洗浄する場合、あるいは、サブタンクから記録ヘッドへインクを押し出し、記録ヘッドからインクを吐出して記録ヘッドのクリーニングを行う場合、また記録ヘッドがホームポジション側に戻ってくる場合、ヘッド部６は、Ｙレール２に沿ってホームポジションの、洗浄ボックス２０の直上に向けて移動する。ヘッド部６が洗浄ボックス２０の直上に移動すると、紫外線照射装置１０，１２の照射口は、板材１１，１３の上面に近接対向し、紫外線の一次反射光が記録ヘッドのノズルの内部に回り込むことがない。また、紫外線照射装置１２が洗浄ボックス２０の上方を通過するときも、紫外線照射装置１２の照射口は、洗浄ボックス２０の内部底面２０ａと近接対向することになり、この場合にも紫外線の一次反射光が記録ヘッドのノズルが開口する底面に回り込むことがない。
【００１２】
尚、ヘッド部６が洗浄ボックス２０の直上のヘッド待機位置２２にあるとき、紫外線照射装置１０，１２の下側には板材１１，１３の上面が近接して位置するが、この紫外線照射装置１０，１２に近接する板材１１，１３の存在により、記録ヘッドのヘッド待機位置におけるメンテナンス作業のとき、作業者が高温状態にある紫外線照射装置１０，１２の下側に手を入れることができないようになっている。これにより、作業者が誤って紫外線照射装置１０，１２の下側に手を入れ、高温状態の照射口に接触する事故を防止している。装置のメンテナンス時、ヘッド部６が移動しているときの、紫外線の光量の計測を行う場合には、載置板２４，２６を一段下げ、その上にそれぞれ、図４に示すように、照度計２８，２８を載置し、計測を行う。このように、本実施形態では、ホームポジションでヘッド部６の下に手を入れて作業を行うときに安全であり、また、照度計２８を用いて計測をするときに照度計２８の置き場所に困らないという効果がある。
【００１３】
【発明の効果】
本発明は上述の如く構成したので、紫外線照射装置から照射される紫外線の反射光がヘッド部内のインクに当たり、インクが固化してヘッド部内のインクの通路が詰まるのを防止することができる。
【図面の簡単な説明】
【図１】インクジェット記録装置の全体正面説明図である。
【図２】インクジェット記録装置の全体正面説明図である。
【図３】インクジェット記録装置の全体正面説明図である。
【図４】インクジェット記録装置の全体正面説明図である。
【図５】従来技術の説明図である。
【符号の説明】
２      Ｙレール
４      基台
６      ヘッド部
７      板材
８      ヘッド移動方向変換位置
９      脚台
１０    紫外線照射装置
１１    板材
１２    紫外線照射装置
１３    板材
１４    プラテン
１５    脚台
１６    印字媒体
１７    脚台
１８    昇降機構
２０    洗浄ボックス
２２    ホームポジション
２４    載置板
２６    載置板
２８    照度計
４４    チューブ
４６    廃液タンク
【図１】
2004338264.tif 000003
【図２】
2004338264.tif 000004
【図３】
2004338264.tif 000005
【図４】
2004338264.tif 000006
【図５】
2004338264.tif 000007